(57)【要約】【課題】車載用のディスプレイ装置において、ユーザがディスプレイ装置にぶつかることを防止する。【解決手段】画像を表示するディスプレイ１００と、ディスプレイ１００の表示面１２０が設置場所に対向している閉状態と該設置場所に対向していない開状態との間で、ディスプレイ１００を開閉駆動させる開閉駆動機構２００と、を有するディスプレイ装置に、開閉駆動機構２００の動作を制御する制御回路５００と、ディスプレイ１００から所定距離の範囲内への物体の接近を検出する人感センサ７００と、を設ける。制御回路５００は、ディスプレイ部１００が開状態において、人感センサ７００が物体の接近を検出すると、開閉駆動機構２００を制御し、ディスプレイ１００を該開状態から前記閉状態に動作させる。【選択図】図１
2008013063.tif 000002
【特許請求の範囲】
【請求項１】
画像を表示するディスプレイ部と、該ディスプレイ部の表示面が設置場所に対向している閉状態と該設置場所に対向していない開状態との間で、該ディスプレイ部を開閉駆動させる開閉駆動機構と、を有するディスプレイ装置であって、
前記開閉駆動機構の動作を制御する制御部と、
前記ディスプレイ部から所定距離の範囲内への物体の進入を検出する検出部と、を備え、
前記制御部は、
前記ディスプレイ部が前記開状態において、前記検出部が前記物体の進入を検出すると、前記開閉駆動機構を制御し、該ディスプレイ部を該開状態から前記閉状態に動作させること
を特徴とするディスプレイ装置。
【請求項２】
画像を表示するディスプレイ部と、該ディスプレイ部の表示面が設置場所に対向している閉状態と該設置場所に対向していない開状態との間で、該ディスプレイ部を開閉駆動させる開閉駆動機構と、を有するディスプレイ装置であって、
前記開閉駆動機構の動作を制御する制御部と、
ユーザからの各種要求を受け付け、該受け付けた要求を前記制御部に出力する入力部と、
前記ディスプレイ部から所定距離の範囲内への物体の進入を検出する検出部と、を備え、
前記制御部は、
前記ディスプレイ部が前記閉状態において、前記入力部を介して、ユーザから前記ディスプレイ部を前記開状態に動作させる要求を受付けた場合、該要求を受け付けてから所定時間経過するまでの間に、前記検出部が前記物体の進入を検出しなければ、前記開閉駆動機構を制御して該ディスプレイ部を該閉状態から前記開状態に動作させ、該検出部が前記物体の進入を検出すれば、ディスプレイ部を該閉状態のまま動作させないこと
を特徴とするディスプレイ装置。
【請求項３】
請求項１または２に記載のディスプレイ装置であって、
警告音を出力する出力部を備え、
前記制御部は、前記検出部が前記物体の進入を検出した場合、前記出力部に前記警告音を出力させること
を特徴とするディスプレイ装置。
【請求項４】
画像を表示するディスプレイ部と、該ディスプレイ部の表示面が設置場所に対向している閉状態と該設置場所に対向していない開状態との間で、該ディスプレイ部を開閉駆動させる開閉駆動機構と、を有するディスプレイ装置であって、
前記開閉駆動機構の動作を制御する制御部と、
警告音を出力する出力部と、を備え、
前記ディスプレイ部から所定距離の範囲内への物体の進入を検出すると共に、該ディスプレイ部から該物体までの距離を検出する検出部と、を備え、
前記制御部は、前記ディスプレイ部が前記開状態において、
前記検出部が前記物体の進入を検出した場合であって、且つ該検出した物体までの距離が第１の距離の場合には、前記出力部に前記警告音を出力させ、
前記検出部が前記物体の進入を検出した場合であって、且つ該検出した物体までの距離が前記第１の距離より短い第２の距離の場合には、前記開閉駆動機構を制御し、該ディスプレイ部を該開状態から前記閉状態に動作させること
を特徴とするディスプレイ装置。
【請求項５】
請求項１〜４のいずれか一項に記載のディスプレイ装置であって、
前記設置場所とは、車両の室内の天井部分であること
を特徴とするディスプレイ装置。
【発明の詳細な説明】
【技術分野】
【０００１】
本発明は、ディスプレイ装置の技術に関し、特に、パネル型ディスプレイと、パネル型ディスプレイの表示面が設置場所に対向している閉状態と設置場所に対向していない開状態との間で、パネル型ディスプレイを開閉駆動させる開閉駆動機構と、を有するディスプレイ装置の開閉機構を制御する技術に関する。
【背景技術】
【０００２】
自動車に搭載されるディスプレイ装置としては、例えば、図６に示すようなものがある。このディスプレイ装置１は、後席５に着座する者がＴＶ番組等を見られるように、前席４と後席５との間の天井部分６に取り付けられるもので、パネル型ディスプレイ部２と、これを揺動可能に支持する支持部３とを有している。このディスプレイ装置１は、後席５に着座している者がＴＶ番組等を見みる際には、同図の実線で示すようにパネル型ディスプレイ部２が開状態にされ、ＴＶ番組等を見ない際には、同図破線で示すようにパネル型ディスプレイ部２が閉状態にされる。
【０００３】
従来から、図６に示すような、車両の天井に設置するディスプレイ装置において、パネル型ディスプレイ部（単に「ディスプレイ部」ということもある）の開閉操作を容易に行うための構成が知られている（例えば、特許文献１）。特許文献１のディスプレイ装置は、ディスプレイ部がある角度で開いている状態において、ディスプレイ部に一定以上の荷重が加わると自動的にディスプレイ部を閉じたり、或いは、天井とディスプレイ部の表示面との角度を広げてディスプレイ部を開いたりする。
【０００４】
【特許文献１】特開２００３−３３７５４２号公報
【発明の開示】
【発明が解決しようとする課題】
【０００５】
ところで、車内に搭載されるディスプレイ装置において、ディスプレイ部が開いた状態において、車内の同乗者が不意に立ち上がったりした場合、同乗者がディスプレイ部にぶつかったり（接触したり）することがある。このような場合、ディスプレイ装置が破損してしまうこともある。また、たとえ破損しなくても、何度もぶつかると、ディスプレイ装置の故障の原因になる。そのため、車載用のディスプレイ装置において、ユーザがディスプレイ装置にぶつかってしまうことを防止できる機能があれば、ディスプレイ装置の破損や、故障の発生を低減できると考えられる。なお、上記特許文献１は、車載用のディスプレイ装置において、パネルの開閉操作を容易にすることを可能にしているが、車両の同乗者等のユーザがディスプレイ装置にぶつかってしまうことを防止することについて考慮したものではない。
【０００６】
本発明は、上記事情に鑑みてなされたものであり、本発明の目的は、車載用のディスプレイ装置において、ユーザがディスプレイ装置にぶつかることを防止することにある。
【課題を解決するための手段】
【０００７】
上記課題を解決するため、本発明の一態様は、画像を表示するディスプレイ部と、該ディスプレイ部の表示面が設置場所に対向している閉状態と該設置場所に対向していない開状態との間で、該ディスプレイ部を開閉駆動させる開閉駆動機構と、を有するディスプレイ装置に適用される。
【０００８】
そして、前記ディスプレイ装置は、前記開閉駆動機構の動作を制御する制御部と、前記ディスプレイ部から所定距離の範囲内への物体の進入を検出する検出部と、を備え、前記制御部は、前記ディスプレイ部が前記開状態において、前記検出部が前記物体の進入を検出すると、前記開閉駆動機構を制御し、該ディスプレイ部を該開状態から前記閉状態に動作させる。
【発明の効果】
【０００９】
このように本発明によれば、画像を表示するディスプレイ部が開状態の場合において、物体がディスプレイ部に接近していること検出すると、ディスプレイ部を開状態から閉状態に動作させる。したがって、本発明では、ユーザがディスプレイ部に近づいた場合、ディスプレイ装置が自動的に、ディスプレイ部を開状態から閉状態にする。そのため、本発明によれば、ユーザがディスプレイ部にぶつかってしまうことを防止できる。その結果、ディスプレイ装置の破損や、故障の発生を低減することができる。
【発明を実施するための最良の形態】
【００１０】
以下、本発明に係るディスプレイ装置の一実施形態について図面を用いて説明する。
【００１１】
最初に本発明の実施形態のディスプレイ装置の構成について図１を用いて説明する。
【００１２】
図１は、本発明の実施形態のディスプレイ装置の構成を示す説明図である。なお、以下で説明するディスプレイ装置は、図６で示したディスプレイ装置と同様、車両の天井部に取付けられて利用されるものである。
【００１３】
図示するように、ディスプレイ装置は、パネル型ディスプレイ１００と、パネル型ディスプレイ１００を開閉動作させる開閉駆動機構２００と、開閉駆動機構２００の動作を制御する開閉駆動回路３００と、パネル型ディスプレイ１００による表示を制御する表示制御回路４００と、ディスプレイ装置全体の動作を制御する制御回路５００と、ユーザからの各種要求を受け付ける入力装置６００と、パネル型ディスプレイ１００に取付けられた人感センサ７００と、警告音を出力する出力装置８００と、パネル型ディスプレイ１００を揺動可能に支持する支持部９００を有するハウジング５０と、を備える。ハウジング５０は、車両の天井部分に取付けられている。
【００１４】
なお、入力装置６００の具体的な構成について特に限定しない。以下では、入力装置６００は、ユーザからの各種要求を受け付け、その受け付けた要求内容を示す無線信号を出力するリモコン６１０と、リモコン６１０からの無線信号を受信する信号受信部６２０とを備えるものとする。そして、信号受信部６２０は、ユーザから受け付けた要求内容を示す無線信号を受信すると、その旨を示す信号を制御回路５００に出力する。また、図示する例では、信号受信部６２０が車両の天井部に取付けられているが、特にこれに限定するものではない。信号受信部６２０をパネル型ディスプレイ１００に設けるようにしてもよい。
【００１５】
パネル型ディスプレイ１００は、液晶表示部１２０と、液晶表示部１２０を駆動するパネル駆動回路（図示しない）と、これらを覆うディスプレイケーシング１３０と、を有している。ディスプレイケーシング１３０には、人感センサ７００が取付けられている。
【００１６】
開閉駆動機構２００は、開閉駆動回路３００からの指示にしたがい、パネル型ディスプレイ１００の液晶表示部１２０の表示面が車両の天井部（パネル型ディスプレイ１００の「設置場所」）に対向している閉状態（パネル型ディスプレイ１００を点線で示している状態）と、天井部（設置場所）に対向していない開状態（パネル型ディスプレイ１００を実線で示している状態）との間で、パネル型ディスプレイ１００を開閉駆動させる。なお、開閉駆動機構２００は、駆動モータ、駆動モータの駆動軸に取り付けられているウォームギヤ、このウォームギヤに噛み合うホィールギヤを有するクラッチ、クラッチの出力ギヤに噛み合う中間ギヤ等を備える機構であり、既存の技術のものを用いるものとする。
【００１７】
制御回路５００は、リモコン６１０を介して、ユーザからの各種要求を受け付け、その受け付けた要求に応じて、表示制御回路４００を制御して液晶表示部１２０に画像を表示させたり、開閉駆動回路３００を制御して開閉駆動機構２００を動作させて、パネル型ディスプレイ１００を開閉駆動させたりする。また、制御回路５００は、パネル型ディスプレイ１００に取付けられている人感センサ７００に接続されている。制御回路５００は、人感センサ７００からの信号を受け付けると、開状態のパネル型ディスプレイ１００が閉状態になるように、開閉駆動回路３００を制御したり、出力装置８００から警告音を出力したりする。
【００１８】
人感センサ７００は、パネル型ディスプレイ１００から所定範囲のエリアの中に人や動物等が進入すると、そのこと（所定範囲のエリアの中に人等が進入したこと）を検知して、制御回路５００に、検知した旨を示す信号を出力する。人感センサ７００には、例えば、人や動物から放射される熱線の量の変化を検知する赤外線センサを用いることができる。
【００１９】
出力装置８００は、制御回路５００からの指示にしたがい、ユーザに注意を促す警告音を出力する。出力装置８００には、ブザーを用いるようにしてもよいし、スピーカを用いるようにしてもよい。出力装置８００にスピーカを用いる場合、例えば、制御回路５００は、警告音を生成し、その生成した警告音を、スピーカを介して出力させる。
【００２０】
次に、本実施形態におけるディスプレイ装置の動作について、i）パネル型ディスプレイ１００（単に「ディスプレイ１００」ということもある）が閉状態にある場合の動作と、ii）パネル型ディスプレイ１００が開状態にある場合の動作とに分けて説明する。
【００２１】
先ず、i）パネル型ディスプレイ１００が閉状態にある場合の動作について図２および３を用いて説明する。
【００２２】
図２は、本発明の実施形態のディスプレイ装置のパネル型ディスプレイ１００の開閉動作フローチャートである。図３は、図２のフローにおけるパネル型ディスプレイ１００の開閉動作を説明するための図である。なお、図２のフローは、パネル型ディスプレイ１００が閉じた状態（閉状態）において開始される処理である。
【００２３】
具体的には、ユーザは、リモコン６１０を操作し、ディスプレイ装置に、ディスプレイ１００を開く要求（ディスプレイ１００を開状態に動作させる要求）を行う。ディスプレイ装置１００の制御回路５００は、リモコン６１０からの「ディスプレイ１００を開く要求」を受け付ける（Ｓ１０）。すなわち、制御回路５００は、図３に示すように、ディスプレイ１００が閉状態（実線で示しているディスプレイ１００を状態）において、リモコン６１０から送信される「ディスプレイ１００を開く要求」を受け付ける。
【００２４】
次に、制御回路５００は、人感センサ７００による検出を開始し（Ｓ１１）、「人、動物等の物体（以下単に「物体」という）」が所定距離以内まで接近したか否かを判定し（Ｓ１２）、物体が接近したと判定した場合にＳ１３に進み、物体が接近したと判定しない場合にＳ１４の処理に進む。
【００２５】
具体的には、制御回路５００は、Ｓ１１の処理から所定時間経過（例えば、数秒程度経過）するまでに、人感センサ７００からの信号を受信したか否かを監視し、人感センサ７００からの信号を受信した場合に物体が接近したと判定する。一方、制御回路５００は、上記の所定時間経過するまでに人感センサ７００からの信号を受信しなければ、物体が所定距離以内まで接近していないと判定する。
【００２６】
すなわち、図３に示す閉状態において、「ディスプレイ１００を開く要求」を受け付けてから、所定時間経過するまでの間に、物体が人感センサ検知エリア７０１に入ると、人感センサ７００が、検知エリア７０１の中に物体が進入したことを検知する。そして、人感センサ７００は、制御回路５００に、検知エリア７０１の中に物体が進入したことを検知した旨を示す信号を出力する。制御回路５００は、人感センサ７００からの信号の受信により物体が接近したと判定してＳ１３に進む。一方、所定時間経過するまでの間に、物体が人感センサ検知エリア７０１に入らなければ、人感センサ７００は、検知エリア７０１の中に物体が進入したことを検知しないため、制御回路５００に信号を出力しない。したがって、制御回路５００は、上記の所定時間経過するまでに人感センサ７００からの信号を受信しないため、物体が接近していなと判定してＳ１４の処理に進む。
【００２７】
Ｓ１３では、制御回路５００は、音声出力装置８００から警告音を出力して処理を終了する。すなわち、本ステップでは、制御回路５００は、ユーザからの「ディスプレイ１００を開く要求」を受け付けたにもかかわらず、ディスプレイ１００を開かずに警告音を出力して処理を終了する。
【００２８】
このようにすることにより、ディスプレイ１００が開く動作により、ディスプレイ１００の近くにいる人等がディスプレイ１００にぶつかる可能性を低減することができる。また、警告音を鳴らすようにしているため、警告音を聞いたユーザは、ディスプレイ１００の近くに、人や動物等がいることを確認できる。したがって、警告音を聞いたユーザは、ディスプレイ１００の近くに人や動物等がいないことを確認してから、再度、リモコン６１０により「ディスプレイ１００を開く要求」をすれば、安全にディスプレイ１００を開くことができる。
【００２９】
一方、Ｓ１４では、ディスプレイ装置１００は、ディスプレイ１００を開く動作を行う。具体的には、制御回路５００は、開閉駆動回路３００を制御して開閉駆動機構２００を動作させて、ディスプレイ１００を閉状態から開状態にする。
【００３０】
続いて、ii）パネル型ディスプレイ１００が開状態にある場合の動作を、図４および図５を用いて説明する。
【００３１】
図４は、本発明の実施形態のディスプレイ装置のパネル型ディスプレイの開閉動作のフローチャートである。図５は、図４のフローにおけるパネル型ディスプレイ１００の開閉動作を説明するための図である。なお、図４のフローは、パネル型ディスプレイ１００が開いた状態（開状態）において開始される処理である。
【００３２】
具体的には、ディスプレイ１００が開いた状態になると、制御回路５００は、人感センサ７００による検出を開始する（Ｓ２０）。すなわち、図５に示すように、制御回路５００は、ディスプレイ１００が開状態において、人感センサ７００を利用して、人感センサ検知エリア７０１に物体が進入したか否かの監視を行う。
【００３３】
制御回路５００は、物体の接近を検知したらＳ２２の処理に進み、物体の接近を検知しなければ、Ｓ２０の処理に戻る（Ｓ２１）。すなわち、人感センサ７００は、人感センサ検知エリア７０１に物体が進入すると（図５参照）、物体の進入を検知して、その旨を示す信号を制御回路５００に出力する。制御回路５００は、人感センサ７００からの信号を受けて、物体が所定距離以内に接近していると判定してＳ２２の処理に進む。
【００３４】
Ｓ２２では、ディスプレイ装置は、音声出力装置８００から警告音を出力して、ディスプレイ１００を閉じて処理を終了する。具体的には、制御回路５００は、音声出力装置８００から警告音を出力する。また、制御回路５００は、開閉駆動回路３００を制御して開閉駆動機構２００を動作させて、ディスプレイ１００を開状態から閉状態にする。
【００３５】
このようにすることで、ディスプレイ装置は、ディスプレイ１００に人等が近づくと、警告音を出力して、ユーザに注意を促すことができる。また、ディスプレイ１００（人感センサ７００）から所定距離の範囲に物体が入ると、自動的にディスプレイ１００を閉じるようにしている。そのため、本実施形態によれば、ディスプレイ１００を開いている状態において、人等がディスプレイ１００にぶつかってしまうことを防ぐことができるようになる。その結果、本実施形態によれば、車両の同乗者等が不意にディスプレイ１００にぶつかってしまうことを防止でき、ディスプレイ装置の破損や、故障の発生を低減することができる。
【００３６】
なお、本発明は以上で説明した実施形態に限定されるものではなく、本発明の要旨の範囲内において種々の変形が可能である。
【００３７】
例えば、図４のＳ２１〜２２では、人感センサ検知エリア７０１の中に人等が入ると、警告音の鳴らすと共に、ディスプレイ１００を閉じるようにしているが、例えば、下記のように制御してもよい。具体的には、人感センサ７００の出力変化をリニアとする（或いは、人感センサ７００に、接近した物体までの距離を検出して、その距離を示すデータを出力する機能を設ける）。そして、制御回路５００は、人感センサ７００からの出力から、人等の接近している距離を判断する。そして、制御回路５００は、人等が第１の距離（予め設定しておく）まで接近したと判定した場合に警告音を出力する。また、制御回路５００は、第１の距離範囲を超えて、さらに、人等が接近してきたと判定した場合には（人等が第１の距離より短い第２の距離まで近づいてきた場合）、ディスプレイを閉じるようにする。すなわち、第１の距離まで物体が接近したときには、警告音だけ鳴らすようにして、第１の距離を越えて物体が接近してきた場合に、初めて、ディスプレイ１００を閉じるようにする。
【００３８】
同様に、図２のＳ１２から１３において、制御回路５００は、人等が第１の距離まで接近したと判定した場合に警告音を出力する（この場合は、ディスプレイ１００を開く動作を行う）。そして、制御回路５００は、第１の距離範囲を超えて、さらに、人等が接近してきたと判定した場合には、ディスプレイ１００を閉じたままとする。
【００３９】
また、図２のＳ１３では、警告音を出力して処理を終了するようにしているが、警告音に代えて、操作案内の音声データを出力するようにしてもよい。例えば、「ディスプレイ１００の近くに人がいることを検知したため、ディスプレイ１００を開けなかったこと」と、「ディスプレイ１００の近くに人がいないことを確認した上で、操作をやり直すこと」とを音声データで出力して、ユーザに操作を促すようにしてもよい。
【００４０】
また、図４のＳ２２では、ディスプレイ１００に人等が近づいた場合に、警告音を出力すると共に、ディスプレイ１００を閉じるようにしているが、どちらか一方だけ行うようにしてもよい。すなわち、Ｓ２２において、ディスプレイ１００に人等が近づいた場合に、警告音を出力する処理だけを行うようにしてもよいし、或いは、ディスプレイ１００を閉じる動作だけを行うようにしてもよい。
【図面の簡単な説明】
【００４１】
【図１】本発明の実施形態のディスプレイ装置の構成を示す説明図である。
【図２】本発明の実施形態のディスプレイ装置のパネル型ディスプレイ１００の開閉動作フローチャートである。
【図３】図２のフローにおけるパネル型ディスプレイ１００の開閉動作を説明するための図である。
【図４】本発明の実施形態のディスプレイ装置のパネル型ディスプレイ１００の開閉動作のフローチャートである。
【図５】図４のフローにおけるパネル型ディスプレイ１００の開閉動作を説明するための図である。
【図６】ディスプレイ装置の設置位置を示す説明図である。
【符号の説明】
【００４２】
５０…ハウジング、１００…パネル型ディスプレイ、１２０…液晶表示部、１３０…ディスプレイケーシング１３０、２００…開閉駆動機構、３００…開閉駆動回路、４００…表示制御回路、５００…制御回路、６００…入力装置、６１０…リモコン、６２０…信号受信部、７００…人感センサ、８００…出力装置、９００…支持部
【図１】
2008013063.tif 000003
【図２】
2008013063.tif 000004
【図３】
2008013063.tif 000005
【図４】
2008013063.tif 000006
【図５】
2008013063.tif 000007
【図６】
2008013063.tif 000008